(57)【要約】【課題】販売情報を配信する際に、利用者から受信した選択条件に基づいて、販売情報を選択して配信する商品紹介配信サーバシステムを提供する。【解決手段】商品紹介配信サーバシステム１は、商品紹介配信サーバ３０と品物データベース２０を備える。商品紹介配信サーバシステム１は、商品販売者１００ａ、ｂから受信した販売情報を品物データベース２０に格納する。利用者は、携帯端末装置１３０から通信網２００を介して商品紹介配信サーバシステム１に販売情報の配信要求を送信する。商品紹介配信サーバ３０は、この配信要求に含まれる販売情報の選択条件、あるいは利用者データベースに格納されている利用者の住所により、品物データベース２０から商店を選択して、当該商店の販売情報を読み出す。そして、配信情報を作成し、携帯端末装置１３０に送信する。【選択図】  図２
2004280583.tif 000002
【特許請求の範囲】
【請求項１】
販売情報の配信を受ける利用者の個人情報を格納する利用者データベースと、
前記利用者データベースに格納されている利用者データに基づいて、アクセスした利用者の認証を行う利用者認証手段と、
登録した商品販売者の商店データと、当該商品販売者により入力された商品データを含む販売情報を格納する商品データベースと、
前記利用者から販売情報の配信要求を受けて、該配信要求に販売情報の選択条件が含まれている場合、該選択条件に基づいて、前記商品データベースから販売情報を読み出す、あるいは前記配信要求に販売情報の選択条件が含まれていない場合、前記利用者データベースに格納されている利用者の住所に基づいて前記商品データベースから該住所に近い順に予め定められた数の商店を選択し、販売情報を読み出す販売情報選択手段と、
前記読み出された販売情報を優先度の高い順に並べて配信情報を作成し、前記利用者に配信する配信手段と、
前記利用者から受信した発注データに基づいて受注通知を当該商品販売者に送信する受注通知手段と、
を具備することを特徴とする商品紹介配信サーバシステム。
【請求項２】
前記販売情報選択手段は、前記配信要求に含まれる販売情報の選択条件が、現在地、あるいは購入予定地域の場合、前記商品データベースから前記現在地、あるいは購入予定地域に近い順に予め定められた数の商店を選択して販売情報を読み出し、前記配信手段は、前記読み出された販売情報を前記現在地、あるいは購入予定地域に近い商店の順に並べて配信情報を作成して、配信することを特徴とする請求項１に記載の商品紹介配信サーバシステム。
【請求項３】
前記配信手段は、前記商品データベースから読み出された販売情報がタイムサービス情報の場合、開始時間の早い順に並べて配信情報を作成して、配信することを特徴とする請求項１または請求項２に記載の商品紹介配信サーバシステム。
【請求項４】
前記商品販売者により入力された販売情報が、臨時の売出し、所定の時間内のタイムサービスなど急ぎ配信を必要とする情報の場合、当該商店のある所定の地域内の利用者に即時配信することを特徴とする請求項１に記載の商品紹介配信サーバシステム。
【請求項５】
前記利用者データベースに購入を希望する場所と商品を登録すると、前記販売情報選択手段は、前記登録された場所を含む所定の地域内にある商店を前記商品データベースから選択し、該選択された商店の前記登録された商品に係る販売情報を読み出して前記配信手段に出力し、さらに、所定の期間ごとに前記商品販売者から新しく入力され前記商品に係る販売情報を読み出して前記配信手段に出力することを特徴とする請求項１に記載の商品紹介配信サーバシステム。
【請求項６】
前記配信手段は、前記販売情報選択手段により前記商品データベースから読み出された前記登録された商品に係る販売情報を該商品ごとに複数の商店を販売価格の安い順、あるいは登録した場所に近い順に並べて配信情報を作成し、配信することを特徴とする請求項５に記載の商品紹介配信サーバシステム。
【発明の詳細な説明】
【０００１】
【発明の属する技術分野】
この発明は、携帯端末装置へ商店の販売情報を配信するための商品紹介配信サーバシステムに関する。
【０００２】
【従来の技術】
従来、地域住民に買い物情報を提供する、地域に密着した広告方法としては、新聞の地方紙での広告、新聞の折り込み広告、各商店のチラシの配布などが用いられている。また、特定の商品の売出しを知らせるダイレクトメールなどがある。地域住民は、このような広告やダイレクトメールによってその地域の商店の販売情報を入手して、購入希望の商品の選択や販売価格、購入できる商店の所在地などを知ることができる。特に期間を限定した売出しでは、主として新聞の折り込み広告や各商店のチラシの配布が用いられている。このような広告に比べて販売情報提供の即時性を高める方法としては、商店の売出し情報をネットワークを通じて利用者に提供する売出し情報配信サーバシステムがある。
【０００３】
従来の売出し情報配信サーバシステムは、売出し情報を格納し、登録した利用者の個人情報に合致した売出し情報を、ネットワークを介して配信している。（例えば、特許文献１参照。）。
【０００４】
【特許文献１】
特開２００２−４９８３１号公報（第３−４頁、第１図）
【０００５】
【発明が解決しようとする課題】
しかしながら、新聞の折り込み広告や商店のチラシによる方法では購入希望者が望んでいる商品の情報だけでなく不要な情報も多く含まれるために、迷惑と考えられる場合もあり、広告の効果を十分発揮できないという問題があった。また、購入希望の商品をどの商店で購入するか決めるには、多くの広告を比較して判断する必要があった。さらに、このような印刷媒体を用いる広告の提供方法では広告内容を決めてから配布までに時間がかかり、即時性が高くないという問題があった。
【０００６】
また、特許文献１の図１に示す売出し情報配信サーバシステムにあっては、売出し情報の提供を希望する店を設定できるが、情報は一方的にサーバから端末装置へ配信されるので、必要でないときは邪魔になるだけでなく、端末装置が携帯電話機などのように記憶容量が小さいものでは買い物以外の必要なメールを受けられなくなるということが起こる。また、端末装置で受けた売出し情報に購入希望の商品がある場合、端末装置から発注できないため、当該商店まで行って購入しなければならない。
【０００７】
この発明は、上記の点に鑑みてなされたもので、その目的は、販売情報を通信ネットワークを介して利用者に配信する際に、登録した利用者から受信した販売情報を選択する条件に基づいて、販売情報を選択するとともに優先順位を付して配信する商品紹介配信サーバシステムを提供することにある。また、他の目的は、販売情報の配信を受けた携帯端末装置から、利用者が購入する商品の発注データを送り、当該商店に発注できる商品紹介配信サーバシステムを提供することにある。
【０００８】
【課題を解決するための手段】
上記の課題を解決するために、請求項１に記載の発明は、販売情報の配信を受ける利用者の個人情報を格納する利用者データベースと、前記利用者データベースに格納されている利用者データに基づいて、アクセスした利用者の認証を行う利用者認証手段と、登録した商品販売者の商店データと、当該商品販売者により入力された商品データを含む販売情報を格納する商品データベースと、前記利用者から販売情報の配信要求を受けて、該配信要求に販売情報の選択条件が含まれている場合、該選択条件に基づいて、前記商品データベースから販売情報を読み出す、あるいは前記配信要求に販売情報の選択条件が含まれていない場合、前記利用者データベースに格納されている利用者の住所に基づいて前記商品データベースから該住所に近い順に予め定められた数の商店を選択し、販売情報を読み出す販売情報選択手段と、前記読み出された販売情報を優先度の高い順に並べて配信情報を作成し、前記利用者に配信する配信手段と、前記利用者から受信した発注データに基づいて受注通知を当該商品販売者に送信する受注通知手段とを具備することを特徴とする商品紹介配信サーバシステムである。
【０００９】
また、請求項２に記載の発明は、請求項１に記載の商品紹介配信サーバシステムにおいて、前記販売情報選択手段は、前記配信要求に含まれる販売情報の選択条件が、現在地、あるいは購入予定地域の場合、前記商品データベースから前記現在地、あるいは購入予定地域に近い順に予め定められた数の商店を選択して販売情報を読み出し、前記配信手段は、前記読み出された販売情報を前記現在地、あるいは購入予定地域に近い商店の順に並べて配信情報を作成して、配信することを特徴とする。
【００１０】
また、請求項３に記載の発明は、請求項１または請求項２に記載の商品紹介配信サーバシステムにおいて、前記配信手段は、前記商品データベースから読み出された販売情報がタイムサービス情報の場合、開始時間の早い順に並べて配信情報を作成して、配信することを特徴とする。
【００１１】
また、請求項４に記載の発明は、請求項１に記載の商品紹介配信サーバシステムにおいて、前記商品販売者により入力された販売情報が、臨時の売出し、所定の時間内のタイムサービスなど急ぎ配信を必要とする情報の場合、当該商店のある所定の地域内の利用者に即時配信することを特徴とする。
【００１２】
また、請求項５に記載の発明は、請求項１に記載の商品紹介配信サーバシステムにおいて、前記利用者データベースに購入を希望する場所と商品を登録すると、前記販売情報選択手段は、前記登録された場所を含む所定の地域内にある商店を前記商品データベースから選択し、該選択された商店の前記登録された商品に係る販売情報を読み出して前記配信手段に出力し、さらに、所定の期間ごとに前記商品販売者から新しく入力され前記商品に係る販売情報を読み出して前記配信手段に出力することを特徴とする。
【００１３】
また、請求項６に記載の発明は、請求項５に記載の商品紹介配信サーバシステムにおいて、前記配信手段は、前記販売情報選択手段により前記商品データベースから読み出された前記登録された商品に係る販売情報を該商品ごとに複数の商店を販売価格の安い順、あるいは登録した場所に近い順に並べて配信情報を作成し、配信することを特徴とする。
【００１４】
【発明の実施の形態】
以下、図面を参照して本発明の一実施の形態について説明する。図１は、同実施形態の構成を示す概念図である。同図において、１０は、商品紹介配信サーバシステムが設置される商品紹介センターである。１００ａ〜ｅは、商品販売者であり、１３０ａ〜ｅは、商品紹介センター１０から販売情報の配信を受ける利用者の携帯端末装置である。携帯端末装置１３０ａ〜ｅには、電子メールの送受信の機能とブラウザを搭載して各種コンテンツをブラウジングできる機能を有する携帯電話機、ＰＤＡ（Ｐｅｒｓｏｎａｌ  Ｄｉｇｉｔａｌ  Ａｓｓｉｓｔａｎｔ：携帯情報端末）などを用いることができる。
【００１５】
２０は、商品販売者１００ａ〜ｅから入力された商店の所在地、商店名、メールアドレスなどの商店データ、商品の品名、販売単位、価格などの商品データおよび期間限定の売出し、タイムサービスなどの販売分野からなる販売情報を格納する品物データベース（ＤＢ）である。ここで、商品データと販売分野は、商店データと関連付けて格納される。１１０は、商品紹介センター１０と商品販売者１００ａ〜ｅを接続する通信業者であり、１２０は、商品紹介センター１０と携帯端末装置１３０ａ〜ｅを接続する通信業者である。
【００１６】
図２は、通信網２００、例えば、インターネットを介して接続された商品紹介配信サーバシステム１、商品販売者１００ａ、ｂおよび携帯端末装置１３０を示す図である。商品紹介配信サーバシステム１は、商品紹介配信サーバ３０と品物データベース２０を備える。商品紹介配信サーバ３０は、登録した利用者の氏名、住所、メールアドレスなどの個人情報を格納する利用者データベース、利用者の認証を行う利用者認証手段、品物データベース２０から販売情報の配信要求に含まれる選択条件に基づき販売情報を読み出す販売情報選択手段、読み出された販売情報から配信情報を作成し、携帯端末装置１３０に送信する配信手段、携帯端末装置１３０から入力された受注データに基づき受注通知を生成する受注通知手段を備える。１４０は、利用者の住居に備えられたパーソナルコンピュータなどの端末装置である。
【００１７】
次に、図１〜図３を参照して、本実施の形態の動作を説明する。図３は、利用者が販売情報の配信を受ける処理を示すシーケンス図である。先ず、商品紹介センター１０に登録した商品販売者１００ａ〜ｅは、通信業者（プロバイダー）１１０を介して、販売情報を商品紹介配信サーバシステム１に送信する。この販売情報は、販売促進に効果があるように、売出しの時期、タイムサービスの商品など、常に商品の販売状況に応じて追加、更新される。
【００１８】
商品紹介配信サーバ３０は、受信した販売情報を商店データと関連付けて品物データベース２０に格納する。ここで、商品紹介配信サーバ３０は、入力された販売情報が、臨時の売出しや当日予定のなかったタイムサービスなどの急ぎ配信を必要とする情報か否か判断して、急ぎ配信を必要とする場合は、この販売情報をインターネット２００と携帯通信網を介して、当該商店に設定されている地域内の利用者の携帯端末装置１３０へ送信する。なお、利用者が、利用者からの配信要求に基づかない販売情報の配信を不要とするときは商品紹介配信サーバシステム１に登録しておくことができる。
【００１９】
次に、利用者から商品紹介配信サーバシステム１にアクセスして販売情報の配信を受ける手順を図３を参照して説明する。先ず、利用者は、携帯端末装置１３０から通信ネットワーク２００を介して商品紹介配信サーバシステム１にアクセスして販売情報の配信要求を送信する（ステップＳ１０）。商品紹介配信サーバ３０の利用者認証手段は、配信要求を受けて携帯端末装置１３０に会員番号と暗証番号を入力する入力画面データを送り、表示させる（ステップＳ１１）。利用者は、携帯端末装置１３０に表示された指示に従って会員番号と暗証番号を入力する（ステップＳ１２）。
【００２０】
商品紹介配信サーバ３０は、利用者の個人情報を格納している利用者データベースから会員番号と暗証番号を読み出し、受信したデータと照合して認証処理を行う。利用者が認証された後、商品紹介配信サーバ３０は、前記配信要求に販売情報の選択条件が含まれているか否かを判断し、選択条件が含まれていない場合、ステップＳ１３に進み、販売情報の配信を希望する商店の所在地域、例えば、県、市町村、番地を選択して入力するように携帯端末装置１３０に要求する。
【００２１】
商品紹介配信サーバ３０は、入力された商店の所在地域を受けて、売出し広告、タイムサービスなど紹介する販売情報の分野の入力を要求する（ステップＳ１５）。次に、携帯端末装置１３０は、紹介分野を入力し（ステップＳ１６）、商品紹介配信サーバ３０は、入力された紹介分野を確認して、販売情報を提供する方法の選択を要求する（ステップＳ１７）。利用者は、電子メールによる方法とＷＷＷサーバから提供を受ける方法のいずれかを選択する。
【００２２】
携帯端末装置１３０から販売情報の提供方法が入力されると（ステップＳ１８）、商品紹介配信サーバ３０の販売情報選択手段は、ステップＳ１４で入力された商店の所在地域に基づき、品物データベース２０に格納されている当該地域内の商店から、利用者の住所に近い順に所定の数の商店を選択し、この商店の紹介分野の販売情報を読み出す。そして、配信手段は、読み出した販売情報を利用者の住所に近い商店の順に並べ、ステップＳ１８において選択された情報提供方法に応じて配信情報を作成し、携帯端末装置１３０に送信する（ステップＳ１９）。
【００２３】
利用者は、携帯端末装置１３０に表示された販売情報を閲覧して、購入希望の商品がある場合、商品名、あるいは商品番号と数量を入力して発注データを送信する。商品紹介配信サーバ３０の受注通知手段は、受信した発注データに基づき受注通知を当該商品販売者に送信する。
【００２４】
ステップＳ１３で発信された配信要求に販売情報の選択条件が含まれている場合、商品紹介配信サーバシステム１は、利用者の認証処理を行った後、この選択条件に基づいて品物データベース２０から販売情報を読み出し、携帯端末装置１３０に送信する。選択条件には、例えば、現在地や商品の購入予定地を設定できる。現在地や購入予定地の情報として、住所だけでなく郵便番号、ＧＰＳ（Ｇｌｏｂａｌ  Ｐｏｓｉｔｉｏｎｉｎｇ  Ｓｙｓｔｅｍｓ：全地球測位システム）によるデータを用いることができる。この場合、読み出された販売情報は、現在地や購入予定地に近い商店の順に並べられ、配信情報が作成される。
【００２５】
また、利用者は、購入を希望する場所と商品を登録することができる。登録された場所と商品は、利用者データベースに格納される。商品紹介配信サーバ３０は、登録された場所を含む地域内にある商店を品物データベース２０から選択し、選択された商店の前記商品に係る価格、売出し広告やタイムサービスなどの情報を読み出す。そして、読み出した情報を販売価格の安い順、あるいは登録した場所に近い順に並べ、商品ごとに商店を選択しやすいようにして配信情報を作成し、携帯端末装置１３０に送信する。さらに、予め設定した期間ごとに前記商品に係る新しく入力された販売情報を品物データベース２０から読み出し、送信する。
【００２６】
【発明の効果】
以上説明したように、請求項１に記載の発明によれば、販売情報の利用者に、いつでも必要に応じて利用しやすい形で、地域に密着した販売情報を提供できる。また、配信された販売情報を見て携帯端末装置から商品の発注ができるので、高い販売促進効果を得ることができる。
請求項２に記載の発明によれば、利用者の現在いる場所、あるいは買い物に行く予定の場所を入力することによって、その近くの商店の販売情報を取得できるので、商店を捜し歩くなどの無駄な時間をなくすことができる。
請求項３に記載の発明によれば、複数の商店のタイムサービスのスケジュールを一覧にして取得できるので、タイムサービスを利用した買い物を効率的にできる。
【００２７】
請求項４に記載の発明によれば、急ぎ配信を必要とする販売情報は、配信要求なしに即時配信されるため、利用者は臨時の売出しなどの機会を失することなく有効に活用できる。
請求項５に記載の発明によれば、購入を希望する商品がある場合、予め登録することによって関連する販売情報の配信を継続して受けることができるので、利用者は商品を探し歩く必要がなく、また都合の良いときを見計らって購入できる。
請求項６に記載の発明によれば、利用者は、登録した商品ごとに販売している商店や価格の一覧を取得できるので、商品を購入する商店の選択が容易になる。
【図面の簡単な説明】
【図１】本発明の一実施の形態を示す概念図である。
【図２】同実施形態における商品紹介配信サーバシステムの構成を示す図である。
【図３】販売情報配信の処理の流れを説明するシーケンス図である。
【符号の説明】
１    商品紹介配信サーバシステム
１０  商品紹介センター
２０  品物データベース（ＤＢ）
３０  商品紹介配信サーバ
１００ａ〜ｅ  商品販売者
１１０、１２０  通信業者
１１０ａ、１１０ｂ、１２０ａ、１２０ｂ  プロバイダー
１３０、１３０ａ〜ｂ  携帯端末装置
１４０  端末装置
【図１】
2004280583.tif 000003
【図２】
2004280583.tif 000004
【図３】
2004280583.tif 000005